(57)【要約】【課題】  把手構成体が袋本体の開口縁部に溶着して取り付けてある袋本体において、把手構成体を取り付けた溶着部の近傍が破れ難いようにした、包装用袋の把手取付構造及び包装用袋、包装用袋の製造方法を提供する。【解決手段】  袋本体１は、向かい合う側壁部１０，１０と、その間に設けたガゼット部１１，１１と、底部にボトム部１２を備えた形状を有している。各把手構成体２は、折曲線２１が長さ方向に形成されるよう幅方向に折り曲げて、両端部側に折曲線２１に沿って切れ込みを入れて取付部２０・・・を形成する。そして、一端部側と他端部側に形成されたそれぞれの取付部２０，２０を、袋本体１の外側と内側に袋本体１を挟むように設けて、この状態で外側と内側に設けた取付部２０，２０と袋本体１を一体になるよう溶着して取り付けてある。符号３は溶着部を示している。【選択図】        図１
2006341918.tif 000002
【特許請求の範囲】
【請求項１】
向かい合う側壁部(10,10)の開口縁部に、把手を形成するよう把手構成体(2,2)がそれぞれ接着または溶着して取り付けてある包装用袋の把手取付構造であって、
各把手構成体(2,2)の端部側は、取付部(20,20)が袋本体(1)の外側と内側に当該袋本体(1)を挟むよう設けてあり、外側と内側に設けた取付部(20,20)と袋本体(1)とが一体になるよう接着または溶着してあることを特徴とする、
包装用袋の把手取付構造。
【請求項２】
各把手構成体(2,2)は、所要幅の帯状体を折曲線(21)が長さ方向に形成されるよう折り曲げ、端部側に折曲線(21)に沿う切れ込みを設けて取付部(20,20)が形成してあることを特徴とする、
請求項１記載の包装用袋の把手取付構造。
【請求項３】
各把手構成体は二本の帯状体を備えており、一方の帯状体の取付部を袋本体の外側に設け、他方の帯状体の取付部を袋本体(1)の内側に設けたことを特徴とする、
請求項１記載の包装用袋の把手取付構造。
【請求項４】
各把手構成体(2,2)は、袋本体(1)の外側と内側とで取付部がずらして設けてあることを特徴とする、
請求項１，２または３記載の包装用袋の把手取付構造。
【請求項５】
請求項１，２，３または４記載の把手取付構造を備えたことを特徴とする、
包装用袋。
【請求項６】
向かい合う側壁部の開口縁部に、把手を形成するよう把手構成体がそれぞれ接着または溶着して取り付けてある包装用袋の製造方法であって、
各把手構成体の端部側の取付部を袋本体の外側と内側に当該袋本体を挟むよう設けて、外側と内側に設けた取付部と袋本体とが一体になるよう接着または溶着することを特徴とする、
包装用袋の製造方法。
【発明の詳細な説明】
【技術分野】
【０００１】
本発明は、向かい合う側壁部の開口縁部に、把手を形成するよう把手構成体がそれぞれ接着または溶着して取り付けてある包装用袋の把手取付構造及び包装用袋、包装用袋の製造方法に関する。
更に詳しくは、袋本体における把手構成体を取り付けた接着箇所または溶着箇所の近傍が破れ難いようにしたものに関する。
【背景技術】
【０００２】
例えば、買い物バック等として使用される簡易的な入れ物として、従来から合成樹脂でつくられた把手付きの包装用袋９が広く使用されている（例えば、図４参照）。このような把手付きの包装用袋９としては、把手を形成する把手構成体９１を合成樹脂製の帯状体で形成し、その両側を袋本体９０の内側に差し込んで、袋本体９０を構成する側壁部９００，９００の開口縁部に溶着して取り付けたものがある。
【特許文献１】特開２００４−１３６９０８号公報
【発明の開示】
【発明が解決しようとする課題】
【０００３】
しかし、把手構成体９１を溶着によって取り付けた包装用袋９には、次のような課題があった。
即ち、把手構成体９１が袋本体９０の内側に溶着して取り付けてあるものでは、把手構成体９１を持って提げることにより、袋本体９０の溶着箇所９２に対して、この部分のみが内側の斜め方向に引っ張られるので、これにより袋本体９０が溶着箇所９２の近傍から引き裂かれて破れてしまうことがあった（図５参照）。特に、側壁部９００，９００の間にガゼット部９０１，９０１が設けてある包装用袋に、物品を隙間がないほど詰め込んだような場合では、上記課題はより顕著に表れていた。
【０００４】
本発明の目的は、向かい合う側壁部の開口縁部に、把手を形成するよう把手構成体がそれぞれ溶着（または接着）して取り付けてある包装用袋において、袋本体における把手構成体を取り付けた溶着箇所（または接着箇所）の近傍が破れ難い、包装用袋の把手取付構造及び包装用袋、包装用袋の製造方法を提供することにある。
【課題を解決するための手段】
【０００５】
上記目的を達成するために本発明が講じた手段は次のとおりである。
第１の発明にあっては、
向かい合う側壁部の開口縁部に、把手を形成するよう把手構成体がそれぞれ接着または溶着して取り付けてある包装用袋の把手取付構造であって、
各把手構成体の端部側は、取付部が袋本体の外側と内側に当該袋本体を挟むよう設けてあり、外側と内側に設けた取付部と袋本体とが一体になるよう接着または溶着してあることを特徴とする、
包装用袋の把手取付構造である。
【０００６】
第２の発明にあっては、
各把手構成体は、所要幅の帯状体を折曲線が長さ方向に形成されるよう折り曲げ、端部側に折曲線に沿う切れ込みを設けて取付部が形成してあることを特徴とする、
第１の発明に係る包装用袋の把手取付構造である。
【０００７】
第３の発明にあっては、
各把手構成体は二本の帯状体を備えており、一方の帯状体の取付部を袋本体の外側に設け、他方の帯状体の取付部を袋本体の内側に設けたことを特徴とする、
第１の発明に係る包装用袋の把手取付構造である。
【０００８】
第４の発明にあっては、
各把手構成体は、袋本体の外側と内側とで取付部がずらして設けてあることを特徴とする、
第１，第２または第３の発明に係る包装用袋の把手取付構造である。
【０００９】
第５の発明にあっては、
第１，第２，第３または第４の発明に係る把手取付構造を備えたことを特徴とする、
包装用袋である。
【００１０】
第６の発明にあっては、
向かい合う側壁部の開口縁部に、把手を形成するよう把手構成体がそれぞれ接着または溶着して取り付けてある包装用袋の製造方法であって、
各把手構成体の端部側の取付部を袋本体の外側と内側に当該袋本体を挟むよう設けて、外側と内側に設けた取付部と袋本体とが一体になるよう接着または溶着することを特徴とする、
包装用袋の製造方法である。
【００１１】
包装用袋を形成する材料は、袋本体と把手構成体が接着または溶着できれば、特に限定するものではなく、例えば、紙や合成樹脂を挙げることができる。合成樹脂としては、例えば、ポリエチレンやポリプロピレン等が使用できる。
【００１２】
（作  用）
本発明に係る包装用袋は、各把手構成体の取付部が袋本体の外側と内側に当該袋本体を挟むよう設けてあり、外側と内側に設けた取付部と袋本体とが一体になるよう接着または溶着してあるので、把手構成体を持って提げた場合、把手構成体の接着箇所または溶着箇所は、袋本体の内面と外面の両面側から内側の斜め方向に引っ張られる。
【００１３】
袋本体の外側と内側とで取付部がずらして設けてあるものは、接着箇所または溶着箇所の面積が広くなるので、引っ張り方向への強度を高めることができる。
【発明の効果】
【００１４】
本発明は上記構成を備え、次の効果を有する。
（ａ）本発明に係る包装用袋は、把手構成体を持って提げた場合に、把手構成体の接着箇所または溶着箇所が袋本体の内面と外面の両面側から内側の斜め方向に引っ張られるので、従来の包装用袋のように把手構成体の取付部の近傍が破れたりし難い。
【００１５】
（ｂ）袋本体の外側と内側とで取付部がずらして設けてあるものは、接着箇所または溶着箇所の面積が広くなるので、引っ張り方向への強度を高めることができる。
【発明を実施するための最良の形態】
【００１６】
本発明の実施の形態を図面に基づき更に詳細に説明する。
図１は本発明に係る包装用袋の一実施の形態を示す斜視説明図、
図２は図１に示す包装用袋における把手構成体の取付部を拡大して示す要部拡大斜視説明図である。
包装用袋Ｈは、袋本体１と、把手を構成する把手構成体２，２を備えた合成樹脂製の包装用袋を示している。
【００１７】
袋本体１は、向かい合う側壁部１０，１０と、その間に設けたガゼット部１１，１１と、底部にボトム部１２を備えた形状を有している。本実施の形態で示す袋本体１は、底部を溶着（シール）した、いわゆるボトムシール方式によって製造されたものを例に挙げて説明した。しかし、これは限定するものではなく、包装用袋は、側部を溶着して形成した、いわゆるサイドシール方式によって製造されたものを使用することもできる。
【００１８】
把手構成体２，２は、向かい合う側壁部１０，１０にそれぞれ設けてある。各把手構成体２は、所要の長さを有する帯状体の両端部側を側壁部１０の開口縁部に溶着することで取り付けてある。
【００１９】
詳しくは各把手構成体２は、折曲線２１が長さ方向に形成されるよう幅方向に折り曲げて、両端部側に折曲線２１に沿って切れ込みを入れて取付部２０・・・を形成する。そして、一端部側と他端部側に形成されたそれぞれの取付部２０，２０を、袋本体１の外側と内側に袋本体１を挟むように設けて、この状態で外側と内側に設けた取付部２０，２０と袋本体１を一体になるよう溶着して取り付けてある。符号３は溶着部を示している。
【００２０】
（作  用）
図１及び図２を参照して本実施の形態で示す包装用袋の作用を説明する。
各把手構成体２は、端部側に形成された取付部２０，２０を、袋本体１の外側と内側に袋本体１を挟むように設けて袋本体１と一体になるよう溶着することで取り付けてある。従って、把手構成体２，２を持って提げた場合、溶着部３は、袋本体１の内面と外面の両面側から内側の斜め方向に引っ張られるようになる。このため袋本体１は、従来の包装用袋のように溶着部３の近傍から破れたりし難い。
【００２１】
図３は本発明に係る包装用袋の他の実施の形態を示すものであって、把手構成体の取付部を拡大した要部拡大斜視説明図である。
なお、図３において、上記図１及び図２で示したものと同一または同等箇所には同一の符号を付して示している。また、以下の説明において構造について上記で示した箇所と重複する説明は、必要な事項を除き省略する。
【００２２】
把手構成体２ａは、折曲線２１ａが長さ方向に形成されるよう幅方向に折り曲げて、両端部側に折曲線２１ａに沿って切れ込みを入れることで取付部２０ａ・・・を形成する。そして、一端部側と他端部側に形成されたそれぞれの取付部２０ａ、２０ａを、袋本体１の外側と内側に袋本体１を挟んだ状態で、更に外側と内側とで取付部２０ａ、２０ａがずれた状態になるようにして溶着して取り付けてある。把手構成体２ａは、上記した把手構成体２よりも端部側に形成した切れ込みが長くなるようにしてある。
【００２３】
（作  用）
図３を参照して本実施の形態で示す包装用袋の作用を説明する。
なお、上記したものと共通する構成により生じる同様の作用、効果については説明を省略し、相違する点についてのみ説明する。
把手構成体２ａは、取付部２０ａ、２０ａが袋本体１の外側と内側とでずれた状態で溶着してあるので、溶着部３の面積が広く、これにより引っ張り方向への強度を高めることができる。
【００２４】
上記実施の形態で示す包装用袋は、ガゼット部１１，１１及びボトム部１２を備えたものを示したが、これは限定するものではなく、ガゼット部を備えないもの、底部のボトム部を備えないもの、この両方ともを備えない形態のものを使用することもできる。
【００２５】
上記実施の形態で把手構成体は、長さ方向に折曲線が形成されるよう幅方向に折り曲げて、両端部側に切れ込みを折曲線に沿って形成したものを使用したが、これも限定するものではなく、例えば、別体の二本の帯状体を備えており、この帯状体の端部側を袋本体の外側と内側に袋本体の開口縁部を挟むように設けて、この状態で外側と内側に設けた部分と袋本体を一体になるよう溶着して取り付けることもできる。
【００２６】
なお、袋本体は、開口縁部側を内側や外側に折り返して形成したタイプのものを使用することもできる。このような袋本体の場合、折り返して重なった部分は、溶着しても良いし、溶着しなくても良い。
【００２７】
上記実施の形態で溶着部３は、楕円形状を有するようにしたものを示したが、溶着部や接着部の形状は特に限定するものではなく、例えば、円形状、四角形状等の多角形状にすることもできる。また、溶着や接着は上記形状の外縁部だけに行うこともできる。
【００２８】
また、上記実施の形態で示す包装用袋は、合成樹脂で製造したものを示したが、これも限定するものではなく、例えば、紙で製造することもできる。この場合、袋本体と把手は接着剤によって接着して取り付けられる。更に、紙製の袋本体に合成樹脂製の把手を取り付けることもできるし、合成樹脂製の袋本体に紙の把手を取り付けて形成することもできる。
【００２９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３０】
【図１】本発明に係る包装用袋の一実施の形態を示す斜視説明図。
【図２】図１に示す包装用袋における把手構成体の取付部を拡大して示す要部拡大斜視説明図。
【図３】本発明に係る包装用袋の他の実施の形態を示すものであって、把手構成体の取付部を拡大した要部拡大斜視説明図。
【図４】従来の包装用袋を示す斜視説明図。
【図５】従来の包装用袋における把手構成体の取付部を拡大して示す要部拡大斜視説明図。
【符号の説明】
【００３１】
Ｈ  包装用袋
１  袋本体
１０  側壁部
１１  ガゼット部
１２  ボトム部
２  把手構成体
２０  取付部
２１  折曲線
３  溶着部
【図１】
2006341918.tif 000003
【図２】
2006341918.tif 000004
【図３】
2006341918.tif 000005
【図４】
2006341918.tif 000006
【図５】
2006341918.tif 000007